(57)【要約】【課題】通信を再開できるまでの時間を短くする。【解決手段】通信端末装置群２においてメッセージの送信要求が無く、Ａ系の伝送ライン（主系の伝送ライン）３に電流が流れていない状態が所定時間Ｔ（例えば、５ｍｓ）以上続いた場合、Ｂ系（待機系）の伝送ライン４を主系の伝送ラインに切り替える（スイッチ５をスペース状態とし、スイッチ６をマーク状態とすることによって、Ａ系からＢ系に主系を遷移させる。）。これにより、Ｂ系（待機系）の伝送ライン４の主系の伝送ラインへの切り替え後、次のメッセージを送信する際、電源装置１の内部の電圧ＶＳ’の調整が安定するまで待たなくてもよく、通信を再開できるまでの時間が短くなる。【選択図】  図４
2018117209.tif 000002
【特許請求の範囲】
【請求項１】
第１の伝送ラインと、第２の伝送ラインと、前記第１の伝送ラインおよび前記第２の伝送ラインをそれぞれ主系の伝送ラインおよび待機系の伝送ラインとし、前記主系の伝送ラインに流れる電流の値を変化させることによってメッセージの送信を行うように構成された通信端末装置群と、前記第１の伝送ラインおよび前記第２の伝送ラインに電源電圧を供給する、内部の電圧が負荷に応じて調整される電源装置とを備えた通信システムに用いられ、前記第１の伝送ラインに異常が生じた場合、前記第２の伝送ラインを主系の伝送ラインに切り替えるように構成された伝送ライン切替装置において、
前記通信端末装置群においてメッセージの送信要求が無く、前記第１の伝送ラインに電流が流れていない状態が所定時間以上続いた場合、前記第１の伝送ラインに異常が生じていると判断し、前記第２の伝送ラインを主系の伝送ラインに切り替えるように構成された伝送ライン切替部
を備えることを特徴とする伝送ライン切替装置。
【請求項２】
請求項１に記載された伝送ライン切替装置において、
前記伝送ライン切替部は、
前記通信端末装置群においてメッセージの送信要求が無く、前記第１の伝送ラインに電流が流れていない状態が所定時間以上続いた場合、前記第１の伝送ラインに異常が生じていると判断し、前記第２の伝送ラインが正常であることを条件として、前記第２の伝送ラインを主系の伝送ラインに切り替えるように構成されている
ことを特徴とする伝送ライン切替装置。
【請求項３】
請求項１に記載された伝送ライン切替装置において、
前記伝送ライン切替部は、
前記通信端末装置群におけるメッセージの送信要求の有無を確認するように構成されたメッセージ送信要求有無確認部と、
前記第１の伝送ラインに電流が流れていない状態が所定時間以上続いたか否かを確認するように構成された第１伝送ライン電流確認部と、
前記メッセージ送信要求有無確認部が前記通信端末装置群におけるメッセージの送信要求が無いことを確認している状態で、前記第１伝送ライン電流確認部が前記第１の伝送ラインに電流が流れていない状態が所定時間以上続いたことを確認した場合、前記第１の伝送ラインに異常が生じていると判断し、前記第２の伝送ラインを主系の伝送ラインに切り替えるように構成されたライン切替部と
を備えることを特徴とする伝送ライン切替装置。
【請求項４】
請求項１に記載された伝送ライン切替装置において、
前記伝送ライン切替部は、
前記通信端末装置群におけるメッセージの送信要求の有無を確認するように構成されたメッセージ送信要求有無確認部と、
前記第１の伝送ラインに電流が流れていない状態が所定時間以上続いたか否かを確認するように構成された第１伝送ライン電流確認部と、
前記第２の伝送ラインが正常であるか否かを確認するように構成された第２伝送ライン確認部と、
前記メッセージ送信要求有無確認部が前記通信端末装置群におけるメッセージの送信要求が無いことを確認している状態で、前記第１伝送ライン電流確認部が前記第１の伝送ラインに電流が流れていない状態が所定時間以上続いたことを確認した場合、前記第１の伝送ラインに異常が生じていると判断し、前記第２伝送ライン確認部が前記第２の伝送ラインが正常であることを確認していることを条件として、前記第２の伝送ラインを主系の伝送ラインに切り替えるように構成されたライン切替部と
を備えることを特徴とする伝送ライン切替装置。
【請求項５】
第１の伝送ラインと、第２の伝送ラインと、前記第１の伝送ラインおよび前記第２の伝送ラインをそれぞれ主系の伝送ラインおよび待機系の伝送ラインとし、前記主系の伝送ラインに流れる電流の値を変化させることによってメッセージの送信を行うように構成された通信端末装置群と、前記第１の伝送ラインおよび前記第２の伝送ラインに電源電圧を供給する、内部の電圧が負荷に応じて調整される電源装置とを備えた通信システムに用いられ、前記第１の伝送ラインに異常が生じた場合、前記第２の伝送ラインを主系の伝送ラインに切り替える伝送ライン切替方法において、
前記通信端末装置群においてメッセージの送信要求が無く、前記第１の伝送ラインに電流が流れていない状態が所定時間以上続いた場合、前記第１の伝送ラインに異常が生じていると判断し、前記第２の伝送ラインを主系の伝送ラインに切り替える伝送ライン切替ステップ
を備えることを特徴とする伝送ライン切替方法。
【請求項６】
請求項５に記載された伝送ライン切替方法において、
前記伝送ライン切替ステップは、
前記通信端末装置群においてメッセージの送信要求が無く、前記第１の伝送ラインに電流が流れていない状態が所定時間以上続いた場合、前記第１の伝送ラインに異常が生じていると判断し、前記第２の伝送ラインが正常であることを条件として、前記第２の伝送ラインを主系の伝送ラインに切り替える
ことを特徴とする伝送ライン切替方法。
【発明の詳細な説明】
【技術分野】
【０００１】
本発明は、カレントループ方式によって通信を行う通信システムに用いられる伝送ライン切替装置および方法に関する。
【背景技術】
【０００２】
従来より、カレントループ方式によって通信を行う通信システムが用いられている。カレントループ方式とは、電流値の変化によって信号を伝送する通信方式であり、ループ電流のＯＮ（例えば、３０ｍＡ）とＯＦＦ（例えば、２ｍＡ）とにより、伝送ライン中に接続されている通信端末装置に通信信号を伝える通信方式である。
【０００３】
この通信方式では、ループ電流をＯＮとした時の通信信号をマーク信号、その時のループ電流をマーク電流、ループ電流をＯＦＦとした時の通信信号をスペース信号、その時のループ電流をスペース電流と呼んでいる（例えば、特許文献１参照）。
【０００４】
図８はカレントループ方式を採用した伝送ラインが二重化された従来の通信システムの一例を示す図である。同図において、１は電源装置、２は通信端末装置群であり、電源装置１と通信端末装置群２との間の伝送ラインは二重化されている。すなわち、この通信システム１００において、電源装置１と通信端末装置群２とは、Ａ系の伝送ライン３とＢ系の伝送ライン４とで接続されている。
【０００５】
なお、図８では便宜上、通信端末装置群２を２つに分けて示しているが、実際の通信端末装置群２は１つである。通信端末装置群２は、直列に接続された親機や子機などからなり、Ａ系の伝送ライン３とＢ系の伝送ライン４のライン中に共通の負荷として接続されている。
【０００６】
また、この例において、Ａ系の伝送ライン３にはスイッチ５が設けられ、Ｂ系の伝送ライン４にはスイッチ６が設けられている。スイッチ５，６としてはトランジスタが用いられている。Ａ系の伝送ライン３は、スイッチ５をマーク状態（電流が流れ易くした状態）とすることによって、主系の伝送ラインとされている。Ｂ系の伝送ライン４は、スイッチ６をスペース状態（電流が流れにくくした状態（２ｍＡ以下））とすることによって、待機系の伝送ラインとされている。
【０００７】
この通信システム１００において、通信端末装置群２は、Ａ系（主系）の伝送ライン３に流れる電流の値を変化させることによって、すなわちＡ系（主系）の伝送ライン３のループ電流をＯＮ（例えば、３０ｍＡ）としたり、ＯＦＦ（例えば、２ｍＡ）としたりすることによって、メッセージの送信を行う。
【０００８】
〔伝送ライン切替装置〕
この通信システム１００には、図９に示すように、伝送ライン切替装置７が設けられている。この伝送ライン切替装置７は、通信端末装置群２におけるメッセージの送信要求の有無を監視し、メッセージの送信要求がある場合、このメッセージが送信される直前に、Ａ系（主系）の伝送ライン３およびＢ系（待機系）の伝送ライン４の両系統のループが確立しているか否かを確認する。
【０００９】
ここで、Ａ系（主系）の伝送ライン３のループが確立しておらず、Ｂ系（待機系）の伝送ライン４のループが確立していた場合、Ａ系（主系）の伝送ライン３に断線が生じていると判断し、Ｂ系（待機系）の伝送ライン４を主系の伝送ラインに切り替える（図１０参照）。すなわち、スイッチ５をスペース状態とし、スイッチ６をマーク状態とすることによって、Ａ系からＢ系に主系を遷移させる。
【先行技術文献】
【特許文献】
【００１０】
【特許文献１】特開平１１−６８８５６号公報
【特許文献２】特許第４４５１７１８号公報
【発明の概要】
【発明が解決しようとする課題】
【００１１】
最近では、電源装置１として、負荷に応じて内部の電圧ＶＳ’を調整する方式が採用されている（例えば、特許文献２参照）。この方式を採用すると、電圧調整作業がなくなり、操作性は良くなるが、反面、通信端末装置群２を接続してから電源装置１の内部の電圧ＶＳ’が安定するまで（最大２秒）、通信ができない期間が生じる。
【００１２】
通信端末装置群２を接続してすぐに通信が必要な状況は希であるため、これ自体は問題ない。しかし、上述した伝送ラインを二重化した通信システム１００では、Ａ系（主系）の伝送ライン３が断線すると、Ａ系（主系）のインピーダンス負荷が極大となり、電源装置１の内部の電圧ＶＳ’を調整する機能が一時的に不安定となる。このため、Ｂ系（待機系）の伝送ライン４が主系の伝送ラインに切り替えられた場合、電源装置１の内部の電圧ＶＳ’が安定するまで時間を要し、通信を再開できるまでの時間が長くなるという問題が生じる。
【００１３】
本発明は、このような課題を解決するためになされたもので、その目的とするところは、通信を再開できるまでの時間を短くすることが可能な伝送ライン切替装置および方法を提供することにある。
【課題を解決するための手段】
【００１４】
このような目的を達成するために本発明は、第１の伝送ライン（３）と、第２の伝送ライン（４）と、第１の伝送ラインおよび第２の伝送ラインをそれぞれ主系の伝送ラインおよび待機系の伝送ラインとし、主系の伝送ラインに流れる電流の値を変化させることによってメッセージの送信を行うように構成された通信端末装置群（２）と、第１の伝送ラインおよび第２の伝送ラインに電源電圧を供給する、内部の電圧が負荷に応じて調整される電源装置（１）とを備えた通信システム（２００）に用いられ、第１の伝送ラインに異常が生じた場合、第２の伝送ラインを主系の伝送ラインに切り替えるように構成された伝送ライン切替装置（７Ｂ）において、通信端末装置群においてメッセージの送信要求が無く、第１の伝送ラインに電流が流れていない状態が所定時間以上続いた場合、第１の伝送ラインに異常が生じていると判断し、第２の伝送ラインを主系の伝送ラインに切り替えるように構成された伝送ライン切替部（７０，７０’）を備えることを特徴とする。
【００１５】
この発明によれば、通信端末装置群においてメッセージの送信要求が無く、第１の伝送ライン（主系の伝送ライン）に電流が流れていない状態が所定時間以上続くと、第１の伝送ライン（主系の伝送ライン）に異常が生じていると判断され、第２の伝送ライン（待機系の伝送ライン）が主系の伝送ラインに切り替えられる。
【００１６】
これにより、本発明では、通信端末装置群においてメッセージの送信要求が無い期間に、第２の伝送ライン（待機系の伝送ライン）の主系の伝送ラインへの切り替えが行われる。また、電源装置の内部の電圧の調整も、通信端末装置群においてメッセージの送信要求が無い期間に行われる。このため、第２の伝送ライン（待機系の伝送ライン）の主系の伝送ラインへの切り替え後、次のメッセージを送信する際、電源装置の内部の電圧の調整が安定するまで待たなくてもよく、通信を再開できるまでの時間が短くなる。
【００１７】
なお、本発明において、第２の伝送ライン（待機系の伝送ライン）が主系の伝送ラインへ切り替えられた後は、第２の伝送ラインが主系の伝送ライン、第１の伝送ラインが待機系の伝送ラインとなる。すなわち、第２の伝送ライン（待機系の伝送ライン）を主系の伝送ラインへ切り替えた後は、第２の伝送ラインが本発明でいう第１の伝送ライン（主系の伝送ライン）となり、第１の伝送ラインが本発明でいう第２の伝送ライン（待機系の伝送ライン）となる。
【００１８】
なお、上記説明では、一例として、発明の構成要素に対応する図面上の構成要素を、括弧を付した参照符号によって示している。
【発明の効果】
【００１９】
以上説明したことにより、本発明によれば、通信端末装置群においてメッセージの送信要求が無く、第１の伝送ライン（主系の伝送ライン）に電流が流れていない状態が所定時間以上続いた場合、第１の伝送ライン（主系の伝送ライン）に異常が生じていると判断し、第２の伝送ライン（待機系の伝送ライン）を主系の伝送ラインに切り替えるようにしたので、第２の伝送ライン（待機系の伝送ライン）の主系の伝送ラインへの切り替え後、次のメッセージを送信する際、電源装置の内部の電圧の調整が安定するまで待たなくてもよく、通信を再開できるまでの時間を短くすることが可能となる。
【図面の簡単な説明】
【００２０】
【図１】図１は、本発明の実施の形態に係る伝送ライン切替装置を用いた通信システムの要部を示す図である。
【図２】図２は、この通信システムにおける伝送ライン切替装置のハードウェア構成の概略を示す図である。
【図３】図３は、この伝送ライン切替装置におけるＣＰＵが実行する処理動作の第１例（実施の形態１）を示すフローチャートである。
【図４】図４は、この伝送ライン切替装置によってＢ系（待機系）の伝送ラインが主系の伝送ラインに切り替えられた状態（Ａ系からＢ系に主系が遷移された状態）を示す図である。
【図５】図５は、実施の形態１の処理動作を実行する伝送ライン切替装置の要部の機能ブロック図である。
【図６】図６は、この伝送ライン切替装置におけるＣＰＵが実行する処理動作の第２例（実施の形態２）を示すフローチャートである。
【図７】図７は、実施の形態２の処理動作の第２例を実行する伝送ライン切替装置の要部の機能ブロック図である。
【図８】図８は、カレントループ方式を採用した伝送ラインが二重化された従来の通信システムの一例を示す図である。
【図９】図９は、従来の通信システムにおいてＢ系（待機系）の伝送ラインが主系の伝送ラインに切り替えられる様子（切り替え前の状態）を説明する図である。
【図１０】図１０は、従来の通信システムにおいてＢ系（待機系）の伝送ラインが主系の伝送ラインに切り替えられる様子（切り替え後の状態）を説明する図である。
【発明を実施するための形態】
【００２１】
以下、本発明の実施の形態を図面に基づいて詳細に説明する。図１は本発明の実施の形態に係る伝送ライン切替装置を用いた通信システム２００の要部を示す図である。同図において、図９と同一符号は図９を参照して説明した構成要素と同一或いは同等の構成要素を示し、その説明は省略する。
【００２２】
以下、図９に示した従来の通信システム１００における伝送ライン切替装置７と区別するために、従来の通信システム１００における伝送ライン切替装置７を符号７Ａで示し、本実施の形態の通信システム２００における伝送ライン切替装置７を符号７Ｂで示す。
【００２３】
なお、この通信システム２００においても、従来の通信システム１００と同様、Ａ系の伝送ライン３において、スイッチ５はマーク状態（電流が流れ易くした状態）とされており、Ｂ系の伝送ライン４において、スイッチ６はスペース状態（電流が流れにくくした状態（２ｍＡ以下））とされている。すなわち、Ａ系の伝送ライン３が主系の伝送ラインとされ、Ｂ系の伝送ライン４が待機系の伝送ラインとされている。
【００２４】
図２に伝送ライン切替装置７Ｂのハードウェア構成の概略を示す。この伝送ライン切替装置７Ｂは、中央演算処理装置（ＣＰＵ）７−１と、ランダムアクセスメモリ（ＲＡＭ）７−２と、読み出し専用メモリ（ＲＯＭ）７−３と、インタフェース７−４，７−５と、これらを接続する母線７−６とを備えている。
【００２５】
この伝送ライン切替装置７Ｂには、本実施の形態特有のプログラムとして、伝送ライン切替プログラムがインストールされている。ＣＰＵ７−１は、インタフェース７−４を介して入力される情報を処理することで、ＲＡＭ７−２やＲＯＭ７−３にアクセスしながら、インストールされている伝送ライン切替プログラムに従って動作する。
【００２６】
〔実施の形態１〕
以下、図３に示すフローチャートを用いて、伝送ライン切替プログラムに従ってＣＰＵ７−１が実行する処理動作の第１例（実施の形態１）について説明する。
【００２７】
実施の形態１において、ＣＰＵ７−１は、通信端末装置群２におけるメッセージの送信要求の有無を確認し（ステップＳ１０１）、メッセージの送信要求が無い場合、Ａ系（主系）の伝送ライン３に流れている電流ＩＭ（ＩＡ）をチェックする（ステップＳ１０２）。
【００２８】
ここで、通信端末装置群２においてメッセージの送信要求が無く（ステップＳ１０１の「無し」）、Ａ系（主系）の伝送ライン３に電流が流れていない状態（ＩＭ＝０の状態）が所定時間Ｔ（例えば、５ｍｓ）以上続いた場合（ステップＳ１０２のＹＥＳ）、ＣＰＵ７−１は、Ａ系（主系）の伝送ライン３に断線（異常）が生じていると判断し（ステップＳ１０３）、Ｂ系（待機系）の伝送ライン４を主系の伝送ラインに切り替える（ステップＳ１０４、図４参照）。すなわち、スイッチ５をスペース状態とし、スイッチ６をマーク状態とすることによって、Ａ系からＢ系に主系を遷移させる。
【００２９】
これにより、本実施の形態では、通信端末装置群２においてメッセージの送信要求が無い期間に、Ｂ系（待機系）の伝送ライン４の主系の伝送ラインへの切り替えが行われる。また、電源装置１の内部の電圧ＶＳ’の調整も、通信端末装置群２においてメッセージの送信要求が無い期間に行われる。このため、Ｂ系（待機系）の伝送ライン４の主系の伝送ラインへの切り替え後、次のメッセージを送信する際、電源装置１の内部の電圧ＶＳ’の調整が安定するまで待たなくてもよく、通信を再開できるまでの時間が短くなる。
【００３０】
図５に、上述した処理動作の第１例（実施の形態１）を実行する伝送ライン切替装置７Ｂの要部の機能ブロック図を示す。実施の形態１において、伝送ライン切替装置７Ｂは、伝送ライン切替部７０として、メッセージ送信要求有無確認部７１と、Ａ系伝送ライン電流確認部７２と、ライン切替部７３とを備えている。
【００３１】
伝送ライン切替部７０において、メッセージ送信要求有無確認部７１は、通信端末装置群２におけるメッセージの送信要求の有無を確認する。Ａ系伝送ライン電流確認部７２は、Ａ系（主系）の伝送ライン３に電流が流れていない状態が所定時間Ｔ以上続いたか否かを確認する。ライン切替部７３は、メッセージ送信要求有無確認部７１が通信端末装置群２におけるメッセージの送信要求が無いことを確認している状態で、Ａ系伝送ライン電流確認部７２がＡ系（主系）の伝送ライン３に電流が流れていない状態が所定時間Ｔ以上続いたことを確認した場合、Ａ系（主系）の伝送ライン３に断線が生じていると判断し、Ｂ系（待機系）の伝送ライン４を主系の伝送ラインに切り替える。
【００３２】
なお、この実施の形態１において、Ｂ系（待機系）の伝送ライン４が主系の伝送ラインへ切り替えられた後は、Ｂ系の伝送ライン４が主系の伝送ライン、Ａ系の伝送ライン３が待機系の伝送ラインとなる。すなわち、Ｂ系（待機系）の伝送ライン４を主系の伝送ラインへ切り替える前は、Ａ系の伝送ライン３が本発明でいう第１の伝送ライン（主系の伝送ライン）とされ、Ｂ系の伝送ライン４が本発明でいう第２の伝送ライン（待機系の伝送ライン）とされていたものが、切り替え後は、Ｂ系の伝送ライン４が本発明でいう第１の伝送ライン（主系の伝送ライン）となり、Ａ系の伝送ライン３が本発明でいう第２の伝送ライン（待機系の伝送ライン）となる。
【００３３】
〔実施の形態２〕  
次に、図６に示すフローチャートを用いて、伝送ライン切替プログラムに従ってＣＰＵ７−１が実行する処理動作の第２例（実施の形態２）について説明する。
【００３４】
実施の形態１では、通信端末装置群２においてメッセージの送信要求が無い期間に、Ａ系（主系）の伝送ライン３の断線を検出して、Ｂ系（待機系）の伝送ライン４を主系の伝送ラインに切り替えるロジックを追加した。
【００３５】
しかし、実施の形態１では、Ａ系（主系）の伝送ライン３の断線を検出した場合、直ぐにＢ系（待機系）の伝送ライン４が主系の伝送ラインに切り替えられる。この時、Ｂ系（待機系）の伝送ライン４が断線していた場合、このＢ系（待機系）の伝送ライン４の断線が主系の伝送ラインの断線として検出され、すぐに遷移して元の状態に戻ってしまう。このため、断線が改善されるまで、Ａ系からＢ系、Ｂ系からＡ系への主系の遷移を繰り返すことになる。
【００３６】
また、電源投入後、電源装置１の内部の電圧ＶＳ’の自動調整が終わるまでの時間は過電圧保護が働き（最大２秒）、電流が流れない状態となる。このため、Ａ系（主系）の伝送ライン３、Ｂ系（待機系）の伝送ライン４とも、断線を検出する状態となる。このような場合も、Ａ系からＢ系、Ｂ系からＡ系への主系の遷移が繰り返されるものとなり、誤動作に至る可能性がある。
【００３７】
そこで、実施の形態２では、通信端末装置群２においてメッセージの送信要求が無く（ステップＳ２０１の「無し」）、Ａ系（主系）の伝送ライン３に電流が流れていない状態（ＩＭ＝０の状態）が所定時間Ｔ（例えば、５ｍｓ）以上続いた場合（ステップＳ２０２のＹＥＳ）、Ａ系（主系）の伝送ライン３に断線（異常）が生じたものと判断した後（ステップＳ２０３）、Ｂ系（待機系）の伝送ライン４のループが確立されているか否かを確認する（ステップＳ２０４）。
【００３８】
ここで、Ｂ系（待機系）の伝送ライン４のループが確立されていることが確認された場合にのみ（ステップＳ２０４のＹＥＳ）、Ｂ系（待機系）の伝送ライン４の主系の伝送ラインへの切り替えを行う（ステップＳ２０５）。すなわち、Ｂ系（待機系）の伝送ライン４のループが確立されていることが確認されなかった場合には（ステップＳ２０４のＮＯ）、Ｂ系（待機系）の伝送ライン４の主系の伝送ラインへの切り替えは行わない。
【００３９】
これにより、Ｂ系（待機系）の伝送ライン４が正常である場合にのみ、Ｂ系（待機系）の伝送ライン４が主系の伝送ラインに切り替えられるものとなり、主系の遷移が繰り返されるというような問題が生じないものとなる。
【００４０】
図７に、上述した処理動作の第２例（実施の形態２）を実行する伝送ライン切替装置７Ｂの要部の機能ブロック図を示す。実施の形態２において、伝送ライン切替装置７Ｂは、伝送ライン切替部７０’として、メッセージ送信要求有無確認部７１と、Ａ系伝送ライン電流確認部７２と、Ｂ系伝送ライン確認部７４と、ライン切替部７５とを備えている。
【００４１】
伝送ライン切替部７０’において、メッセージ送信要求有無確認部７１は、通信端末装置群２におけるメッセージの送信要求の有無を確認する。Ａ系伝送ライン電流確認部７２は、Ａ系（主系）の伝送ライン３に電流が流れていない状態が所定時間Ｔ以上続いたか否かを確認する。Ｂ系伝送ライン確認部７４は、Ｂ系（待機系）の伝送ライン４が正常であるか否かを確認する。ライン切替部７５は、メッセージ送信要求有無確認部７１が通信端末装置群２におけるメッセージの送信要求が無いことを確認している状態で、Ａ系伝送ライン電流確認部７２がＡ系（主系）の伝送ライン３に電流が流れていない状態が所定時間Ｔ以上続いたことを確認した場合、Ａ系（主系）の伝送ライン３に断線が生じていると判断し、Ｂ系伝送ライン確認部７４がＢ系（待機系）の伝送ライン４が正常であることを確認していることを条件として、Ｂ系（待機系）の伝送ライン４を主系の伝送ラインに切り替える。
【００４２】
なお、この実施の形態２においても、Ｂ系（待機系）の伝送ライン４が主系の伝送ラインへ切り替えられた後は、Ｂ系の伝送ライン４が主系の伝送ライン、Ａ系の伝送ライン３が待機系の伝送ラインとなる。すなわち、Ｂ系（待機系）の伝送ライン４を主系の伝送ラインへ切り替える前は、Ａ系の伝送ライン３が本発明でいう第１の伝送ライン（主系の伝送ライン）とされ、Ｂ系の伝送ライン４が本発明でいう第２の伝送ライン（待機系の伝送ライン）とされていたものが、切り替え後は、Ｂ系の伝送ライン４が本発明でいう第１の伝送ライン（主系の伝送ライン）となり、Ａ系の伝送ライン３が本発明でいう第２の伝送ライン（待機系の伝送ライン）となる。
【００４３】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００４４】
１…電源装置、２…通信端末装置群（負荷）、３…Ａ系の伝送ライン、４…Ｂ系の伝送ライン、５，６…スイッチ、７（７Ｂ）…伝送ライン切替装置、７−１…ＣＰＵ、７−２…ＲＡＭ、７−３…ＲＯＭ、７−４，７−５…インタフェース、７０，７０’…伝送ライン切替部、７１…メッセージ送信要求有無確認部、７２…Ａ系伝送ライン電流確認部、７３…ライン切替部７３、７４…Ｂ系伝送ライン確認部、７５…ライン切替部、２００…通信システム。
【図１】
2018117209.tif 000003
【図２】
2018117209.tif 000004
【図３】
2018117209.tif 000005
【図４】
2018117209.tif 000006
【図５】
2018117209.tif 000007
【図６】
2018117209.tif 000008
【図７】
2018117209.tif 000009
【図８】
2018117209.tif 000010
【図９】
2018117209.tif 000011
【図１０】
2018117209.tif 000012